(57)【要約】【課題】取り出し作業や綴じ込み作業が容易であるとともに、薄型で軽量の構成に適用しやすい綴じ具およびファイルを提供する。【解決手段】略筒状の綴じ具３は、平面視で一方向に長い貫通孔が設けられた被綴じ物２を綴じ込み可能である。この綴じ具３は、略筒状の外壁部１１を有する。また、この外壁部１１の内部に中空状の中空部１２を配置する。さらに、中空部１２に連通する連通部１５を外壁部１１に設ける。このような綴じ具３は、連通部１５から被綴じ物２の貫通孔に外壁部１１を挿通して、被綴じ物２を綴じ込む。【選択図】図１
2015112729.tif 000002
【特許請求の範囲】
【請求項１】
平面視で一方向に長い貫通孔が設けられた被綴じ物を綴じる略筒状の綴じ具であって、
略筒状の外壁部と、この外壁部の内部に位置する中空部とを有し、
前記外壁部が前記貫通孔に挿通されて被綴じ物が綴じ込まれる
ことを特徴とする綴じ具。
【請求項２】
外壁部に設けられ中空部に連通する連通部と、この連通部において前記外壁部に対して着脱可能な着脱部材を有し、
この着脱部材が装着された状態では、前記連通部が閉塞されて周方向に連続面状となり、
前記着脱部材が取り外された状態では、前記外壁部の周方向の両端部が前記連通部を介して離間し周方向に不連続面状となる
ことを特徴とする請求項１記載の綴じ具。
【請求項３】
着脱部材は、両側部が外壁部の周方向の両端部に係合して装着された状態にて前記外壁部の軸方向に沿って摺動可能であり、前記着脱部材を摺動させることで前記外壁部から取り外し可能である
ことを特徴とする請求項２記載の綴じ具。
【請求項４】
外壁部および着脱部材は、着脱部材が装着された状態を保持する装着保持手段を有する
ことを特徴とする請求項２または３記載の綴じ具。
【請求項５】
請求項１ないし４いずれか一記載の綴じ具と、
一端部近傍に位置する一方向に長い貫通孔を有する被綴じ物とを具備し、
前記綴じ具の外壁部が前記貫通孔に挿通されて前記被綴じ物が綴じ込まれる
ことを特徴とするファイル。
【請求項６】
第１の表紙および第２の表紙を有する表紙体を具備し、
前記第１の表紙および前記第２の表紙は、縁部近傍に位置する平面視で一方向に長い表紙貫通孔を有し、
前記第１の表紙と第２の表紙との間に被綴じ物が配置された状態にて、綴じ具の外壁部が各表紙貫通孔に挿通されて前記表紙体が前記綴じ具に綴じ込まれる
ことを特徴とする請求項５記載のファイル。
【請求項７】
表紙体は、第１の表紙の一側縁部と第２の表紙の一側縁部とに接続された背表紙を有し、
前記第１の表紙および前記第２の表紙と前記背表紙とは、第１のヒンジを介して一体的に形成され、
表紙体が綴じ具に綴じ込まれた状態では、前記背表紙が中空部に位置する
ことを特徴とする請求項６記載のファイル
【請求項８】
背表紙は、長手方向および幅方向を有し、幅方向の両端部が第１のヒンジを介して第１の表紙および第２の表紙に接続されるとともに、第１の表紙側の第１のヒンジと第２の表紙側の第１のヒンジとの間に第２のヒンジが設けられ、この第２のヒンジによって幅方向に折曲可能である
ことを特徴とする請求項７記載のファイル。
【発明の詳細な説明】
【技術分野】
【０００１】
本発明は、被綴じ物を綴じ込むための綴じ具およびそれを備えたファイルに関する。
【背景技術】
【０００２】
従来、書類や収納ホルダ等の被綴じ物を綴じ込むものとしては、表紙に固定された綴じ紐や綴じ具の挿通部を被綴じ物の綴じ孔に挿通させて、複数の被綴じ物を重ね合わせた状態で綴じ込む構成のものが知られている（例えば、特許文献１ないし特許文献３参照。）。
【先行技術文献】
【特許文献】
【０００３】
【特許文献１】特許第４１３２９０３号公報
【特許文献２】特開２０１０−１３１８７６号公報
【特許文献３】特許第４８７０２２９号公報
【発明の概要】
【発明が解決しようとする課題】
【０００４】
特許文献１や特許文献２に記載の発明のように、表紙に綴じ具が取り付けられ、この綴じ具の挿通部を被綴じ物の綴じ孔に挿通させて綴じ込む、いわゆるファイルやバインダは、薄型で軽量であり、複数の被綴じ物を重ね合わせて綴じることには適している。
【０００５】
しかしながら、一旦綴じ込んだ被綴じ物のうち、最上層に位置せず中間層辺りに位置する被綴じ物を利用するために取り出す場合や、重ね合わされた各被綴じ物の間に新たに別の被綴じ物を追加して綴じ込む場合には、既に綴じ込まれた被綴じ物のうち所望の位置より上層に位置する被綴じ物を取り外して、被綴じ物の取り出しや追加を行った後、取り外した被綴じ物を再度綴じ直す必要があり、取り出し作業や綴じ込み作業が煩雑で、作業性が良くないという問題が考えられる。
【０００６】
一方、特許文献３に記載の発明のように、被綴じ物の綴じ孔を挿通するリングを開閉することにより、被綴じ物の取り出しや追加を行う構成では、所望の被綴じ物以外の被綴じ物をリングに沿って移動させた状態でリングを開放して、所望の被綴じ物の取り出しや追加を行えるため、他の被綴じ物を一旦取り外す必要がない。
【０００７】
しかしながら、上述の特許文献３の構成の綴じ具は、複雑な構造であるうえに大きさが大きく、重さも重いため、装着する表紙に耐久性が求められる。その結果、特許文献１や特許文献２等のように薄型で軽量のファイルに適用しにくいという問題が考えられる。
【０００８】
したがって、綴じ込まれた複数の被綴じ物の中から所望の被綴じ物を取り出す際や、綴じ込まれた複数の被綴じ物の中の所望の位置へ新たな被綴じ物を追加する際であっても、取り出し作業や綴じ込み作業が容易であるとともに、薄型で軽量の構成に適用しやすい綴じ具およびファイルが求められていた。
【０００９】
本発明はこのような点に鑑みなされたもので、取り出し作業や綴じ込み作業が容易であるとともに、薄型で軽量の構成に適用しやすい綴じ具およびファイルを提供することを目的とする。
【課題を解決するための手段】
【００１０】
本発明は、平面視で一方向に長い貫通孔が設けられた被綴じ物を綴じる略筒状の綴じ具であって、略筒状の外壁部と、この外壁部の内部に位置する中空部とを有し、前記外壁部が前記貫通孔に挿通されて被綴じ物が綴じ込まれるものである。
【００１１】
また、本発明は請求項１ないし４いずれか一記載の綴じ具と、一端部近傍に位置する一方向に長い貫通孔を有する被綴じ物とを具備し、前記綴じ具の外壁部が前記貫通孔に挿通されて前記被綴じ物が綴じ込まれるものである。
【発明の効果】
【００１２】
本発明によれば、綴じ具が、略筒状の外壁部と、この外壁部の内部に位置する中空部と、外壁部に設けられ中空部に連通する連通部とを備えた簡単な構成であるとともに、貫通孔に外壁部が挿通されて被綴じ物が綴じ込まれるため、取り出し作業や綴じ込み作業が容易であるとともに、薄型で軽量の構成に適用しやすい。
【図面の簡単な説明】
【００１３】
【図１】本発明の一実施の形態に係るファイルの構成を示す斜視図である。
【図２】同上ファイルの綴じ具を示す斜視図である。
【図３】同上ファイルの構成を示す側面図である。
【発明を実施するための形態】
【００１４】
以下、本発明の一実施の形態の構成について図面を参照しながら詳細に説明する。
【００１５】
図１において、１はファイルを示し、このファイル１は、例えば書類や収納ホルダ等の被綴じ物２を重ね合わせた状態で綴じ込むものである。
【００１６】
ファイル１は、例えば合成樹脂等で形成された略円筒状の綴じ具３を備えている。また、ファイル１は表紙体４を備えている。そして、被綴じ物２が表紙体４の内側に位置した状態にて、被綴じ物２および表紙体４が綴じ具３に綴じ込まれる。
【００１７】
図２に示すように、綴じ具３は、所定の厚みで形成された略円筒状の外壁部１１を有している。この外壁部１１の内部には中空状の中空部１２が配置されている。また、外壁部１１は周方向の一部が軸方向の全長にわたって切り欠かれており、この切り欠かれた周方向の一端部１３と他端部１４との間には、中空部１２に連通する連通部１５が配置されている。この連通部１５は、外壁部１１に着脱可能な板状の着脱部材１６を装着することによって閉塞される。
【００１８】
着脱部材１６は、外壁部１１と同じ厚みであり、かつ、外壁部１１と同じ半径の円弧状である。したがって、図１に示すように着脱部材１６が装着された状態の綴じ具３は、連通部１５が閉塞されて外壁部１１と着脱部材１６とで周方向に連続面状となる。一方、着脱部材１６が取り外された状態の綴じ具３は、外壁部１１の一端部１３および他端部１４が連通部１５を介して離間して、周方向に不連続面状となる。
【００１９】
被綴じ物２には、平面視で一方向に長く長尺状の例えば長方形状や楕円形状等の長孔である貫通孔（図示せず。）が例えば１つ設けられており、この貫通孔の形状と外壁部１１の断面形状とが対応している。
【００２０】
そして、外壁部１１の一端部１３または他端部１４が連通部１５から貫通孔に挿通されて外壁部１１の一部が貫通孔の中に収まり続けることで、被綴じ物２が綴じ具３に綴じ込まれる。また、被綴じ物２が綴じ具３に綴じ込まれた状態で、連通部１５に着脱部材１６が取り付けられることで、綴じ込んだ状態が保持される。
【００２１】
ここで、外壁部１１の一端部１３および他端部１４の側面には、外壁部１１の周方向へ突出した凸部１７が、軸方向の一方端部２１から他方端部２２の近傍にわたって設けられている。
【００２２】
また、着脱部材１６の幅方向の両端部である両側部の側面には、凸部１７と係合可能な凹状の凹部１８が、着脱部材１６の長手方向の一方端部２３から他方端部２４の近傍にわたって設けられている。
【００２３】
そして、着脱部材１６は、凸部１７と凹部１８とが係合した状態にて、外壁部１１の軸方向に沿って摺動可能である。
【００２４】
また、着脱部材１６が外壁部１１に装着されていない状態から、凸部１７と凹部１８とを係合させて、着脱部材１６を外壁部１１の軸方向の一方側へ摺動させることにより、外壁部１１に着脱部材１６が装着されて、連通部１５が閉塞される。
【００２５】
他方、外壁部１１に着脱部材１６が装着された状態から、着脱部材１６を外壁部１１の軸方向の他方側へ摺動させることにより、外壁部１１から着脱部材１６が取り外されて、連通部１５が開放される。
【００２６】
また、着脱部材１６の両側部の側面における他方端部２４には、凹部１８の他方側の端部を閉塞するように当接部２５が設けられている。
【００２７】
したがって、着脱部材１６を取り付ける際に、外壁部１１の軸方向の一方側へ着脱部材１６を摺動させると、凸部１７の他方端部２２が当接部２５に当接する。その結果、外壁部１１の軸方向の一方側へ摺動する着脱部材１６は、外壁部１１の一方端部２１より外側への摺動が規制され、着脱部材１６が外壁部１１の一方端部２１より外側へ突出することが防止される。
【００２８】
なお、ファイル１を背表紙３３の長手方向が鉛直方向に向くような状態で本棚等に収納する場合には、当接部２５が上側に位置し、着脱部材１６が自重によって外壁部１１の他方側へ摺動することを防止できる構成が好ましい。
【００２９】
また、綴じ具３は、着脱部材１６が装着されることにより被綴じ物２等を綴じ込んだ状態が保持されるため、着脱部材１６が装着された状態にて、着脱部材１６の摺動が係止されて装着状態が保持される構成が好ましい。すなわち、例えば、着脱部材１６の両側面のうちの一部に図示しない装着保持手段としての係合部が設けられ、外壁部１１の周方向の一端部１３や他端部１４の一部に、係合部と係合可能な図示しない装着保持手段としての被係合部が設けられ、着脱部材１６の一方側への摺動が規制されて着脱部材１６が装着された状態にて、係合部と被係合部とが係合することにより、着脱部材１６の摺動自体が係止されて装着された状態が保持される構成が好ましい。
【００３０】
ここで、表紙体４は、矩形状の第１の表紙としての表表紙３１と、この表表紙３１と同形状の第２の表紙としての裏表紙３２とを備えている。また、これら表表紙３１の一側縁部と裏表紙３２の一側縁部との間には、長手方向および幅方向を有する長方形状の背表紙３３が配置されている。この背表紙３３と表表紙３１および裏表紙３２とは、第１のヒンジ３４を介して一体的に接続されている。
【００３１】
表表紙３１および裏表紙３２は、背表紙３３側である第１のヒンジ３４近傍に、平面視で一方向に長く長尺状の例えば略矩形状や略楕円状の長孔である表紙貫通孔３５が設けられている。
【００３２】
この表紙貫通孔３５は、被綴じ物２が表紙体４とともに綴じ具３に綴じ込まれた状態にて、被綴じ物２の貫通孔に対応する位置に配置されており、外壁部１１の断面形状および貫通孔の形状に対応している。
【００３３】
そして、綴じ具３は、表表紙３１と裏表紙３２との間に被綴じ物２が配置された状態にて、外壁部１１が貫通孔および各表紙貫通孔３５に挿通されて外壁部１１の一部に貫通孔および各表紙貫通孔３５が係合されることにより、表紙体４および被綴じ物２が綴じ具３に綴じ込まれる。
【００３４】
このように表紙体４が綴じ具３に綴じ込まれた状態では、図１および図３に示すように、背表紙３３の長手方向の一部が外壁部１１の内周側である中空部１２内に位置する。
【００３５】
第１のヒンジ３４は、背表紙３３と接する一側縁部の全長にわたって設けられた直線状の折曲線にて構成される。そして、図１に示すように、表表紙３１や裏表紙３２を閉じる際には、第１のヒンジ３４にて背表紙３３に対して表表紙３１および裏表紙３２が折曲可能である。
【００３６】
背表紙３３は、表表紙３１側の第１のヒンジ３４と裏表紙３２側の第１のヒンジ３４との間である幅方向の略中央部に、長手方向に沿ってのびる第２のヒンジ３６が設けられている。
【００３７】
第２のヒンジ３６は、背表紙３３の長手方向の全長にわたって設けられた直線状の折曲線にて構成される。
【００３８】
そして、表表紙３１や裏表紙３２をめくって表紙体４を開く際には、図３に示すように、綴じ具３の中空部１２において、背表紙３３が第２のヒンジ３６にて内面側が突出するように折り曲げられて、表表紙３１の一側縁部と裏表紙３２の一側縁部とが接近する。
【００３９】
表表紙３１および裏表紙３２の表面における表紙貫通孔３５側には、第１のヒンジ３４と平行に全長にわたって直線状の折曲線３７が設けられている。そして、表表紙３１および裏表紙３２は、めくる際等に折曲線３７にて折曲可能である。
【００４０】
次に、上記一実施の形態の作用等を説明する。
【００４１】
ファイル１に被綴じ物２を取り出す際や綴じ込む際には、まず、表表紙３１または裏表紙３２をめくって表紙体４を開く。
【００４２】
また、被綴じ物２を外壁部１１に沿って回転させるように移動させて、図３に示すように所望のページを開く。
【００４３】
所望のページを開いた状態にて、着脱部材１６を外壁部１１の軸方向の他方側へ摺動させ綴じ具３から取り外して、連通部１５を開放する。
【００４４】
被綴じ物２を取り出す場合には、開放された状態の連通部１５から所望の被綴じ物２を取り外し、被綴じ物２を綴じ込む場合には、開放された状態の連通部１５から被綴じ物２の貫通孔を外壁部１１に挿通させる。
【００４５】
その後、着脱部材１６の凹部１８と外壁部１１の凸部１７とを係合させて、着脱部材１６を一方側へ摺動させて着脱部材１６を装着し、連通部１５を閉塞して、被綴じ物２が綴じ込まれた状態を保持する。
【００４６】
そして、上記ファイル１によれば、綴じ具３が、略筒状の外壁部１１と、この外壁部１１の内部に位置する中空部１２と、外壁部１１に設けられ中空部１２に連通する連通部１５とを備えた簡単な構成であるため、薄型で軽量の構成に適用しやすい。
【００４７】
また、貫通孔が外壁部１１に挿通されて係合されているため、綴じ具３の外壁部１１に沿って被綴じ物２を回転させて所望のページを開いて連通部１５から被綴じ物２を挿脱でき、取り出し作業や綴じ込み作業が容易である。
【００４８】
ここで、例えば上述の特許文献１ないし特許文献３等の従来のファイル等では、被綴じ物に円形状の貫通孔が設けられ、綴じ具には貫通孔に対応した紐状や棒状の挿通部材を挿通させる構成であるため、複数の貫通孔それぞれに綴じ具の挿通部材を挿通させることで、綴じ具に対して横方向への移動を防止していたが、このような従来の構成では、複数の挿通部材を複数の貫通孔に挿通する必要があり、綴じ込み作業が煩雑である。
【００４９】
これに対して、上記ファイル１によれば、被綴じ物２の貫通孔が１つだけ設けられた構成であっても、被綴じ物２の貫通孔とこの貫通孔に挿通される外壁部１１の断面形状とが対応しており、いずれも長尺状であるため、貫通孔に外壁部１１が挿通されて係合された状態にて、被綴じ物２が綴じ具３の軸方向に対して傾斜するように綴じ具３に対して横方向への回転を防止できる。また、１つの長尺状の貫通孔に外壁部１１を挿通させるだけであるため、綴じ具３に対して被綴じ物２を位置決めしやすく、綴じ込み作業が容易である。
【００５０】
綴じ具３が着脱可能な着脱部材１６を有することにより、着脱部材１６の着脱により連通部１５を開閉して連続面状である状態と不連続面状である状態とを切り替えることができるため、作業性が良好であるとともに、被綴じ物２を綴じ込んだ状態を保持しやすい。
【００５１】
綴じ具３は、着脱部材１６が外壁部１１の軸方向に沿って摺動可能であるため、着脱部材１６の着脱作業が容易である。
【００５２】
また、着脱部材１６は、外壁部１１の軸方向の一方端部２１より外側への摺動が規制されているため、着脱部材１６の装着状態において外壁部１１に対して着脱部材１６を位置決めしやすい。
【００５３】
さらに、外壁部１１および着脱部材１６は、着脱部材１６の装着状態を保持する装着保持手段を有することにより、着脱部材１６の装着状態が不意に解除されることを防止でき、綴じ具３に被綴じ物２が綴じ込まれた状態を保持しやすい。
【００５４】
表紙体４は、表表紙３１と裏表紙３２と背表紙３３とを有し、これら表表紙３１および裏表紙３２と背表紙３３とが第１のヒンジ３４を介して接続されているため、ファイル１を使用する際に表紙体４を開きやすい。
【００５５】
ここで、第１のヒンジ３４の作用にて表紙体４を開いた状態と閉じた状態とでは、表表紙３１と裏表紙３２との位置関係が異なる。すなわち、表紙体４を開いて表表紙３１と裏表紙３２との角度が１８０°の場合には、表表紙３１の表紙貫通孔３５と裏表紙３２の表紙貫通孔３５とが最も離間した位置関係となる。
【００５６】
そして、表表紙３１と裏表紙３２と背表紙３３とが１８０°の関係である際には、表表紙３１の表紙貫通孔３５と裏表紙３２の表紙貫通孔３５との距離は、背表紙３３の幅方向の長さによって決定する。この背表紙３３の幅方向の長さが大きいと、表表紙３１の表紙貫通孔３５と裏表紙３２の表紙貫通孔３５との距離が外壁部１１の内周の直径の長さを超える場合があり、このような構成であると、表紙体４を開いた際に表表紙３１と裏表紙３２と背表紙３３とが１８０°である関係に至る前に背表紙３３が外壁部１１の内周面に接触して、スムーズに表紙体４を開けない。
【００５７】
そこで、背表紙３３に第２のヒンジ３６を設けることにより、表紙体４を開いた際に図３に示すように背表紙３３が第２のヒンジ３６にて幅方向に折り曲げられるため、表表紙３１側の第１のヒンジ３４と裏表紙３２側の第１のヒンジ３４との距離を短くでき、表表紙３１と裏表紙３２との角度が１８０°であっても、背表紙３３と外壁部１１の内周面との接触を防止でき、表紙体４をスムーズに開くことができる。また、このような構成にすることにより、背表紙３３と外壁部１１の内周面との接触を防止するために背表紙３３の幅方向の長さに応じて外壁部１１の直径を大きくする必要がなく、綴じ具３の大きさを最小限に抑えることができる。
【００５８】
さらに、表表紙３１および裏表紙３２に折曲線３７が設けられたことにより、表紙体４を開く際に、折曲線３７にて表表紙３１や裏表紙３２を開くことができ、上述の表表紙３１と裏表紙３２との位置関係が変化しにくく、表紙体４を開きやすい。
【００５９】
なお、上記一実施の形態では、ファイル１は、綴じ具３に被綴じ物２とともに表紙体４が綴じ込まれた構成としたが、このような構成には限定されず、表紙体４を綴じ込まない構成にしてもよい。
【００６０】
被綴じ物２に貫通孔が１つ設けられ、表表紙３１に表紙貫通孔３５が１つ設けられ、裏表紙３２に表紙貫通孔３５が１つ設けられた構成としたが、このような構成には限定されず、貫通孔や表紙貫通孔３５の数は適宜決定できる。
【００６１】
また、貫通孔は被綴じ物２の縁部近傍に設けられ、全周にわたって閉塞された形状としたが、このような構成には限定されず、例えば貫通孔の一部から被綴じ物２の縁部まで切込や切欠等が設けられ、切込や切欠から外壁部１１を押し込むようにして貫通孔に外壁部１１を挿通させる構成にしてもよい。また、表紙貫通孔３５も同様である。
【００６２】
綴じ具３は、略円筒状である構成としたが、このような構成には限定されず、略筒状であれば、その形状は適宜決定できる。
【００６３】
綴じ具３は、着脱部材１６が設けられた構成としたが、このような構成には限定されず、例えば外壁部１１が弾性力を有する材料にて形成され、常時は外壁部１１の周方向の一端部１３と他端部１４とが弾性力により接近し、被綴じ物２を綴じ込む際等には、外壁部１１を弾性変形させて一端部１３と他端部１４とを離間させる構成等にしてもよい。
【００６４】
また、着脱部材１６が設けられた構成の場合は、着脱部材１６が摺動することにより外壁部１１から着脱される構成には限定されず、着脱部材１６が外壁部１１に対して着脱可能な構成であればよい。
【００６５】
着脱部材１６が摺動する構成の場合は、外壁部１１の一方端部２１より外側への摺動が規制された構成には限定されず、摺動により着脱可能であればよい。
【００６６】
外壁部１１の一方端部２１より外側への着脱部材１６の摺動を規制された構成の場合は、当接部２５に凸部１７が当接することにより摺動を規制する構成には限定されず、摺動を規制できる構成であればよい。
【００６７】
綴じ具３は、周方向の一部において軸方向の全長にわたって連通部１５が設けられた構成としたが、このような構成には限定されず、軸方向における一部のみに連通部１５が設けられた構成にしてもよい。
【００６８】
被綴じ物２が１つの貫通孔を有し、表紙体４が１つの表紙貫通孔３５を有する構成としたが、このような構成には限定されず、一方向に長い長孔であれば、その形状や数は適宜決定できる。
【００６９】
表紙体４は、表表紙３１と裏表紙３２と背表紙３３とが設けられた構成としたが、このような構成には限定されず、例えば表表紙３１および裏表紙３２のみが設けられた構成等にしてもよい。
【００７０】
表紙体４は、表表紙３１および裏表紙３２と背表紙３３とが第１のヒンジ３４を介して接続された構成には限定されず、第１のヒンジ３４が設けられていない構成にしてもよい。
【００７１】
また、背表紙３３は、第２のヒンジ３６が設けられた構成には限定されず、第２のヒンジ３６が設けられていない構成にしてもよい。
【００７２】
さらに、表表紙３１および裏表紙３２は、折曲線３７が設けられた構成には限定されず、折曲線３７が設けられていない構成にしてもよい。
【符号の説明】
【００７３】
１    ファイル
２    被綴じ物
３    綴じ具
４    表紙体
１１  外壁部
１２  中空部
１５  連通部
１６  着脱部材
３１  第１の表紙としての表表紙
３２  第２の表紙としての裏表紙
３３  背表紙
３４  第１のヒンジ
３５  表紙貫通孔
３６  第２のヒンジ
【図１】
2015112729.tif 000003
【図２】
2015112729.tif 000004
【図３】
2015112729.tif 000005